(57)【要約】      （修正有）【課題】流し台、洗面台等における水栓において、洗い物、水槽の清掃などの用途に対処できるように、吐水ヘッドが回転し、吐水の位置及び方向を広範囲にする、全方向自在の方向転換できる吐水ヘッドを提供する。【解決手段】吐水ヘッド上段部材１１と、下面に吐水孔が配設された吐水ノズル部２を軸回転可能に接続した吐水ヘッド下段部材１２とが、吐水ヘッド上段部材１１の先端部１１２と吐水ヘッド下段部材１２の後端部１２１とで水平旋回可能に通水接続されて上下二段重ね組付吐水ヘッド１を形成し、吐水ヘッド上段部材１１が首元１１１で吐水元管３と軸回転可能に接続され、吐水ヘッド上段部材１１と吐水ヘッド下段部材１２とを略同一幅とし、吐水ヘッド下段部材１２を吐水ヘッド上段部材１１より長くさせないようにして吐水ヘッド上段部材１１の下面に収め得る吐水ヘッドである。【選択図】図４
2012036709.tif 000002
【特許請求の範囲】
【請求項１】
吐水ヘッド上段部材と、下面に吐水孔が配設された吐水ノズル部を軸回転可能に接続した吐水ヘッド下段部材とが、吐水ヘッド上段部材の先端部と吐水ヘッド下段部材の後端部で水平旋回可能に通水接続されて上下二段重ね組付吐水ヘッドを形成し、吐水ヘッド上段部材がその首元で吐水元管と軸回転可能に接続されることを特徴とする吐水ヘッド。
【請求項２】
吐水ヘッド上段部材と、吐水ヘッド下段部材とを略同一幅とし、吐水ヘッド下段部材を吐水ヘッド上段部材より長くさせないようにして吐水ヘッド上段部材の下面に収め得ることを特徴とする請求項１記載の吐水ヘッド。
【請求項３】
吐水ノズル部の吐水孔が吐水ノズル部の下面に軸方向へ列設されていることを特徴とする請求項１乃至２のいずれか１項に記載の吐水ヘッド。
【発明の詳細な説明】
【技術分野】
【０００１】  本発明は、流し台、洗面台等における水栓の吐水ヘッドに係るものであって、特に、迅速な洗い物、水槽の清掃などの用途に適した吐水ヘッドに関するものである。
【背景技術】
【０００２】  従来、洗面台において、吐水ヘッドを回転し、下向き吐水及び上向き吐水の何れもが可能で、通常の手洗い用水栓としても、歯磨き用水栓としても使用可能とする水栓の回転式吐水ヘッドが知られている（特許文献１）。【０００３】  また、食器等の洗浄を素早く行うためにスリット状の吐水孔を備えた流し台用吐水ヘッドが知られている（特許文献２）。【０００４】  更にまた、一般家庭の流し台に取付けられた水栓は、端部に吐水口を設けた吐水パイプが水平方向に回動されるものであったが、洗い物や水槽の清掃で吐水位置を広げるため、吐水パイプの先端に水平方向へ更に回動可能とする吐水口パイプを取付け、吐水パイプ及び吐水口パイプの回動によって吐水口の位置を広く変位させるものが知られている（特許文献３）。
【先行技術文献】
【特許文献】
【０００５】
【特許文献１】特開２００９−６２７２８
【特許文献２】特開２０００−２７２４７
【特許文献３】特開２００７−３２７３１６
【発明の概要】
【発明が解決しようとする課題】
【０００６】  水栓の回転式吐水ヘッドは、吐水ヘッドの回転で下向き吐水及び上向き吐水の何れもが可能にされるが、洗い物、水槽の清掃に必要とする上下、前後、左右の吐水口の変位をできないことが不都合であった。まして、列設された吐水孔による吐水口でない為、一気に幅広く吐水ができず、洗い物を素早くできないので、不便である。【０００７】  また、食器等の洗浄を行う為、吐水ヘッドの吐水口にスリット状吐水孔を備えたものは、幅広く吐水ができて、一応は、洗浄を素早くさせたとしても、吐水口の前後、左右の広範囲への変位による吐水ができるものでないので、多種多様の洗い物に対処できないことで、不都合である。【０００８】  そして、流し台に取付けた水平方向に回動する吐水パイプ及び吐水口パイプをもって、洗い物、水槽の清掃などがされるものは、吐水口の位置を広範囲へ変位し、洗い物、水槽の清掃を広く行えることが叶えられ、効率的にするためにも、これら吐水パイプ及び吐水口パイプが比較的長いものにされる必要を生じ、しかし、これらが長いため、洗い物、水槽の清掃などで作業中の邪魔となり、この取扱いに不便さを生じ、不都合であった。【０００９】  しかも、これらの吐水口は、洗い物、水槽の清掃の際、列設された吐水孔により幅広く吐水できるようにしたものでない故、繰返しの前後、左右の吐水をしなければ、満足いく洗い物、清掃ができなく、素早い洗い物、清掃ができないので不便である。【００１０】  そこで、本発明は、吐水ヘッドを吐水ヘッド上段部材と吐水ヘッド下段部材とのコンパクトな上下二段重ね組付吐水ヘッドとし、上下、前後、左右を始め、全方向、そして広範囲への吐水ができ、列設した吐水孔で幅広く吐水して多種多様な洗い物、水槽の清掃などの用途に供せられる吐水ヘッドを得ることにある。
【課題を解決するための手段】
【００１１】  本発明の吐水ヘッドは、吐水ヘッド上段部材と、下面に吐水孔が配設された吐水ノズル部を軸回転可能に接続した吐水ヘッド下段部材とが、吐水ヘッド上段部材の先端部と吐水ヘッド下段部材の後端部で水平旋回可能に通水接続されて上下二段重ね組付吐水ヘッドを形成し、吐水ヘッド上段部材がその首元で吐水元管と軸回転可能に接続されたものである。【００１２】  本発明の吐水ヘッドは、吐水ヘッド上段部材と、吐水ヘッド下段部材とを略同一幅とし、吐水ヘッド下段部材を吐水ヘッド上段部材より長くさせないようにして吐水ヘッド上段部材の下面に収め得るものである。【００１３】  本発明の吐水ヘッドは、吐水ノズル部の吐水孔が吐水ノズル部の下面に軸方向へ列設されているものである。
【発明の効果】
【００１４】  本発明の吐水ヘッドは、吐水元管と軸回転可能に接続された吐水ヘッド上段部材と、吐水ノズル部を軸回転可能に接続した吐水ヘッド下段部材とが、水平旋回可能に通水接続されて上下二段重ね組付吐水ヘッドとされるので、コンパクトで小形なものにでき、しかも、長さのあまり長くない吐水ヘッド上段部材、吐水ヘッド下段部材、及び吐水ノズル部、そして、吐水ヘッド上段部材の軸回転、吐水ノズル部の軸回転、並びに吐水ヘッド下段部材の水平旋回によって、吐水の全方向への方向転換と広範囲への吐水位置変位を可能とし、よって、多種多様の如何なる洗い物、水槽の清掃などに対処でき、また、これら処置に当って、前記吐水ヘッドがコンパクトで、小形なものであるので、処置の邪魔にならず、取扱い易く出来る。【００１５】  本発明の吐水ヘッドは、吐水ヘッド上段部材と、吐水ヘッド下段部材とが略同一幅とされ、吐水ヘッド下段部材が吐水ヘッド上段部材より長くされないようにした上下二段重ね組付吐水ヘッドであるので、嵩張らない合理的なコンパクト化ができ、また、小形化し易く、違和感のない上下二段重ね組付吐水ヘッドの吐水ヘッドを得ることができる。【００１６】  本発明の吐水ヘッドは、吐水ノズル部の吐水孔が吐水ノズル部の下面に軸方向へ列設されているので、列設した吐水孔で幅広く吐水ができ、上下、前後、左右に、繰返し吐水するのでなく、幅広い吐水を押し進めるのみで、素早い洗い物、水槽の清掃ができ合理的である。また、列設する吐水孔の各々からは、勢いよい吐水がされるので無駄なく、吐水量を節水でき、しかも効率的、効果的に洗い物、水槽の清掃ができることになる。
【図面の簡単な説明】
【００１７】
【図１】  上下二段重ね組付吐水ヘッドの吐水ノズル部が吐水ヘッド上段部材の下面に収められた吐水ヘッドの状態図である。
【図２】  上下二段重ね組付吐水ヘッドがその吐水ヘッド上段部材の首元で軸回転した吐水ヘッドの状態図である。
【図３】  上下二段重ね組付吐水ヘッドの吐水ヘッド下段部材を横向きに旋回した吐水ヘッドの状態図である。
【図４】  上下二段重ね組付吐水ヘッドの吐水ヘッド下段部材を横向きに旋回した上で吐水ノズル部を軸回転した吐水ヘッドの状態図である。
【図５】  上下二段重ね組付吐水ヘッドの吐水ノズル部が吐水ヘッド上段部材の下面に収められた吐水ヘッドの断面図である。
【図６】  上下二段重ね組付吐水ヘッドの吐水ヘッド下段部材を横向きに旋回した吐水ヘッドの断面図である。
【図７】  上下二段重ね組付吐水ヘッドの首元がホースに接続された引出し式吐水ヘッドの断面図である。
【図８】  上下二段重ね組付吐水ヘッドの首元がホースに接続された引出し式吐水ヘッドの引き出し状態の断面図である。
【発明を実施するための形態】
【実施例１】
【００１８】  本発明の吐水ヘッドは、図１、図２、図３、及び図４で示す如く、吐水ヘッド上段部材１１と、吐水ヘッド下段部材１２とを、吐水ヘッド上段部材の先端部１１２と吐水ヘッド下段部材の後端部１２１とが水平旋回可能とされる旋回接続部１０を介して接続されて上下二段重ね組付吐水ヘッド１に形成し、吐水ヘッド下段部材１２の先端部１２２には、回転接続部２０を介して吐水ノズル部２が軸回転可能に接続されている。そして、上下二段重ね組付吐水ヘッド１は、吐水ヘッド上段部材１１の首元１１１が首元回転接続部３０を介して吐水元管３と軸回転可能に接続されている。【００１９】  本発明の吐水ヘッドは、吐水ヘッド上段部材１１と、吐水ヘッド下段部材１２とを略同一幅とし、吐水ヘッド下段部材１２を吐水ヘッド上段部材１１より長くさせないようにする。
即ち、吐水ヘッド上段部材１１と吐水ヘッド下段部材１２とが略同一長さにされた場合には、両者は全く重ね組付けられた形態となり、吐水ヘッド下段部材１２が吐水ヘッド上段部材１１より短い場合には、吐水ヘッド上段部材１１の首元１１１に段差１１３を形成し、吐水ヘッド下段部材１２が前記段差内へ収められる長さにされ、吐水ヘッド下段部材１２を吐水ヘッド上段部材１１の段差１１３内に収め得るようにした、上下二段重ね組付吐水ヘッド１が形成される。【００２０】  本発明の吐水ヘッドは、図３、及び図５、図６に示す如く、吐水孔２１が吐水ノズル部２の下面に軸方向へ列設されている。
尚、吐水ノズル部２の下面に吐水孔２１を軸方向へ数列列設してもよいし、また、１個の吐水口であってもよいことは云うまでもない。【００２１】  図５には、吐水ヘッドの軸方向断面を示し、図６には、吐水ヘッド下段部材１２を横方向へ水平旋回した場合の吐水ノズル部２の軸方向断面を示す。
吐水ヘッド上段部材１１と吐水ヘッド下段部材１２とが水平旋回可能とされる旋回接続部１０は、インロー嵌めで構成され、Ｏリング１０１を施して水密にし、固定ネジ１０２を用いて抜け止めしている。
また、吐水ノズル部２が軸回転可能に接続される回転接続部２０、及び吐水ヘッド上段部材１１の首元１１１が軸回転可能に接続される首元回転接続部３０は、インロー嵌めで構成され、各々がＯリング２０１，３０１を施して水密にし、固定ネジ２０２，３０２をもって抜け止めされている。【００２２】  吐水元管３に首元回転接続部３０を介して吐水ヘッド上段部材１１が軸回転可能に接続された上下二段重ね組付吐水ヘッド１（図１に示す）は、該上下二段重ね組付吐水ヘッド１を軸回転させること（図２に示す）によって左右範囲を吐水することができる。
吐水ノズル部２の下面には、軸方同へ列設された吐水孔２１が形成されているので、少量の吐水量で勢いよい吐水４が、幅広くでき、洗い物や、水栓の清掃が効率的にでき、また節水できるので効果的である。【００２３】  吐水ヘッド上段部材１１と吐水ヘッド下段部材１２とが水平旋回可能に接続される旋回接続部１０をもって、図３に示す如く、吐水ヘッド下段部材１２が横方向へ水平旋回されると、吐水ノズル部２に列設された吐水孔２１が吐水ヘッド上段部材１１の軸方向とクロスする方向へ列することになり、横方向に広く吐水することができる。【００２４】  吐水ノズル部２が軸回転可能に接続される回転接続部２０を介して、図４に示す如く、吐水ヘッド下段部材１２が横方向へ水平旋回された上で、更に、吐水ノズル部２が軸回転されることによって前後範囲を吐水することができる。【００２５】  よって、上下二段重ね組付吐水ヘッド１をあまり長くせずに、コンパクトで小形のものにすることができ、それでも、旋回接続部１０による水平旋回、回転接続部２０及び首元回転接続部３０による軸回転で、吐水４の位置及び方向を広範囲にすることができ、しかも、吐水ノズル部２の吐水孔２１が列設されているので、幅広く勢いのよい吐水４をすることができ、よって、節水した効率的、且つ効果的な洗い物、及び水槽の清掃をすることができる。
【実施例２】
【００２６】  本発明の吐水ヘッドは、図７、図８に示す如く、吐水ヘッド上段部材１１と、吐水ノズル部２を回転接続部２０で軸回転可能に接続した吐水ヘッド下段部材１２とが、旋回接続部１０で水平旋回可能に通水接続されて上下二段重ね組付吐水ヘッド１を形成し、吐水ヘッド上段部材１１の首元１１４にホース３１が接続され、該ホースの接続された首元１１４を流し台、洗面台等の吐水口３２へ着脱自在に装着される。この吐水ヘッドは、図８に、引出された状態が示された如く、引出し式であって、上下二段重ね組付吐水ヘッド１は、用途に応じ、引き出して用いることができるものである。
【符号の説明】
【００２７】１        上下二段重ね組付吐水ヘッド
１０      旋回接続部
１０１    Ｏリング
１０２    固定ネジ
１１      吐水ヘッド上段部材
１１１    首元
１１２    先端部
１１３    段差
１１４    首元
１２      吐水ヘッド下段部材
１２１    後端部
１２２    先端部
２        吐水ノズル部
２０      回転接続部
２０１    Ｏリング
２０２    固定ネジ
２１      吐水孔
３        吐水元管
３０      首元回転接続部
３０１    Ｏリング
３０２    固定ネジ
３１      ホース
３２      吐水口
４        吐水
【図１】
2012036709.tif 000003
【図２】
2012036709.tif 000004
【図３】
2012036709.tif 000005
【図４】
2012036709.tif 000006
【図５】
2012036709.tif 000007
【図６】
2012036709.tif 000008
【図７】
2012036709.tif 000009
【図８】
2012036709.tif 000010